(57)【要約】      （修正有）【課題】親機が、表示情報を子機から取得できない状態の時、親機の操作ボタンで、親機の表示情報の設定を、可能とするコードレス電話機を提供する。【解決手段】親機２と、１または複数の子機３とが、無線接続可能なコードレス電話機１であって、親機２は、主制御部３０と、表示部３７と、操作部３８とを有する。主制御部３０は、親機２に無線接続されている子機３を検出しない場合、操作部３８に対して、表示部３７に表示する表示情報の設定機能を付加する制御を行う。【選択図】図４
2020162068.tif 000002
【特許請求の範囲】
【請求項１】
親機と、１または複数の子機と、が、無線接続可能なコードレス電話機であって、
前記親機は、
制御部と、
表示部と、
操作部と、
を、有し、
前記制御部は、
前記親機に無線接続されている前記子機を検出しない場合、
前記操作部に、前記表示部に表示する表示情報の設定機能を付加する制御を行うことを特徴とするコードレス電話機。
【請求項２】
前記制御部は、
前記親機の電話回線接続を検出しない場合、かつ前記親機に無線接続されている前記子機を検出しない場合、
前記操作部に、前記表示部に表示する表示情報の設定機能を付加する制御を行うことを特徴とする請求項１記載のコードレス電話機。
【請求項３】
前記親機は、前記子機の充電機能を有することを特徴とする請求項１または２記載のコードレス電話機。
【請求項４】
前記表示情報は、時刻情報、または／及びカレンダー情報であることを特徴とする請求項１から３いずれかに記載のコードレス電話機。
【請求項５】
前記制御部は、
前記親機に無線接続されている前記子機を検出した場合、前記操作部に付加した前記表示部の表示情報の設定機能を取り除く制御を行うことを特徴とする請求項１記載のコードレス電話機。
【請求項６】
親機と、１または複数の子機と、が、無線接続可能なコードレス電話機であって、
前記親機は、
制御部と、
表示部と、
操作部と、
を、有し、
前記制御部は、
前記親機の電話回線接続を検出しない場合、前記操作部に、前記表示部に表示する表示情報の設定機能を付加する制御を行うことを特徴とするコードレス電話機。
【請求項７】
親機と、１または複数の子機と、が、無線接続可能なコードレス電話機の制御方法であって、
前記親機は、
制御部と、
表示部と、
操作部と、
を、有し、
前記制御部は、
前記親機に無線接続されている前記子機を検出するステップと、
前記親機に無線接続されている前記子機を検出しない場合、
前記操作部に、前記表示部に表示する表示情報の設定機能を付加するステップと、
を、有することを特徴とするコードレス電話機の制御方法。
【請求項８】
親機と、１または複数の子機と、が、無線接続可能なコードレス電話機の制御方法であって、
前記親機は、
制御部と、
表示部と、
操作部と、
を、有し、
前記制御部は、
前記親機の電話回線接続を検出するステップと、
前記親機の前記電話回線接続を検出しない場合、前記操作部に、前記表示部に表示する表示情報の設定機能を付加するステップと、
を、有することを特徴とするコードレス電話機の制御方法。
【発明の詳細な説明】
【技術分野】
【０００１】
本発明は、コードレス電話機に関する。
【背景技術】
【０００２】
親機と、子機と、が、無線接続されるコードレス電話機は、１台の親機に対して、複数台の子機を接続して、使用することが出来る。また、コードレス電話機は、親機１台と、子機１台から３台程度のセットで、販売されることが多い。コードレス電話機の１台の親機に対して、最大８台程度の子機が接続できるので、子機を追加して親機に接続（増設）したいユーザーは、増設専用の子機を別途購入し、親機に増設する。
【０００３】
しかし、増設専用の子機ではなく、コードレス電話機のセットを追加して購入し、セットの子機を増設用子機として使用し、残った親機を、電話回線に接続しない単なる充電台として使用するユーザーが存在する。増設専用の子機と、セットに含まれる子機と、は、同じ設計仕様であることが多いので、このような子機増設の方法が、可能な場合がある。
【先行技術文献】
【特許文献】
【０００４】
【特許文献１】特開２０１６−５１９５３号公報
【発明の概要】
【発明が解決しようとする課題】
【０００５】
図１（ａ）に示すように、コードレス電話機１は、公衆回線（電話回線）、及び電源に接続される親機２と、親機２に無線接続される子機３と、で、構成される。図１（ａ）は、親機２のクレイドルに、子機３が載置された状態を示す。親機２のクレイドルから取り外された状態の子機３を、図１（ｂ）に、子機３が取り外された状態の、親機２を、図１（ｃ）に示す。
【０００６】
図１（ｄ）に示すように、親機１に載置されない子機３、即ち親機１とは、別の場所に設置される子機３は、専用充電台４に載置される。例えば、親機２が１台、子機３が３台のセットで販売されるコードレス電話機１は、専用充電台４が２台付属する。専用充電台４は、子機３を充電する機能を有しているが、他の機能、例えば、時刻表示機能などは、ないことが多い。
【０００７】
図２は、親機２の操作面を示す。コードレス電話機１は、子機３に、多くの操作機能が割り振られ、親機２には、最小限の操作ボタンしか配置されないものがある。これは、親機２のコスト低減が、ひとつの目的である。また、親機２の外観を、シンプルなデザインとした場合も、このような構成になることがある。そのため、親機２の設定操作は、無線接続される子機３によって行うことが、前提となる。コードレス電話機１の待機時（通話や、設定操作を行っていないとき）は、親機２の親機表示部１１に、例えば、時刻情報や、カレンダー情報等（以下、表示情報と記す）が表示される。
【０００８】
ユーザーが、コードレス電話機１のセットを追加購入し、セットに含まれる子機３を、既存の親機２に増設（親機２と、子機３と、が、無線接続される状態）し、余った親機２を、単なる充電台と使用する場合、親機表示部１１には、表示情報が表示される。即ち、表示機能付きの、充電台とすることができる。これが、ユーザーが、コードレス電話機１のセットを、追加購入する理由の一つである。
【０００９】
親機２は、操作ボタンが少ないため、表示情報の修正、例えば、時刻情報の修正を行う機能を、操作ボタンに割り振ることが困難なことが多い。これに対し、子機３には、多くの操作ボタンがあるため、ユーザーが、表示情報を、修正する操作を行うことが可能である。そのため、親機表示部１１に、表示される、表示情報は、無線接続された子機３から、随時取得される。
【００１０】
親機２が、単なる充電台として用いられる場合、親機２は、子機３と、無線接続されていないため、ユーザーが修正した、正しい表示情報を、子機３から取得することが出来ない。親機２は、内部に時計機能を有しているが、徐々に表示される時刻等の情報がずれてくる、という不具合が起こりうる。このため、親機２を単なる充電台として用いる場合、親機表示部１１の機能を、有効に活用できない。
【００１１】
この問題を解決するには、親機２の操作ボタンの数を増やせばよいが、コストが増加し、また、デザイン性を損ねる場合もある。また、ユーザーは、親機２と、子機３と、を、再接続する操作を行い、子機３から、正しい表示情報を取得することは可能であるが、ユーザーにとって、この操作は、非常に手間である。さらに、表示情報が修正されても、親機２と、子機３と、の、無線接続が解除されて、親機３が単なる充電台に戻されて使用されると、再び徐々に時刻等がずれてくる不具合が起こりうる。
【００１２】
本発明は、上記問題点に鑑みてなされたものであり、親機が、表示情報を子機から取得できない状態の時、親機の操作ボタンで、親機の表示情報の設定を、可能とするコードレス電話機を提供することを課題とする。
【課題を解決するための手段】
【００１３】
本発明のコードレス電話機は、親機と、１または複数の子機と、が、無線接続可能なコードレス電話機であって、前記親機は、制御部と、表示部と、操作部と、を、有し、前記制御部は、前記親機に無線接続されている前記子機を検出しない場合、前記操作部に、前記表示部に表示する表示情報の設定機能を付加する制御を行うことを特徴とする。
【００１４】
また、本発明のコードレス電話機は、親機と、１または複数の子機と、が、無線接続可能なコードレス電話機であって、前記親機は、制御部と、表示部と、操作部と、を、有し、前記制御部は、前記親機の電話回線接続を検出しない場合、前記操作部に、前記表示部に表示する表示情報の設定機能を付加する制御を行うことを特徴とする。
【００１５】
また、本発明のコードレス電話機の制御方法は、親機と、１または複数の子機と、が、無線接続可能なコードレス電話機の制御方法であって、前記親機は、制御部と、表示部と、操作部と、を、有し、前記制御部は、前記親機に無線接続されている前記子機を検出するステップと、前記親機に無線接続されている前記子機を検出しない場合、前記操作部に、前記表示部に表示する表示情報の設定機能を付加するステップと、を、有することを特徴とする。
【００１６】
また、本発明のコードレス電話機の制御方法は、親機と、１または複数の子機と、が、無線接続可能なコードレス電話機の制御方法であって、前記親機は、制御部と、表示部と、操作部と、を、有し、前記制御部は、前記親機の電話回線接続を検出するステップと、前記親機の前記電話回線接続を検出しない場合、前記操作部に、前記表示部に表示する表示情報の設定機能を付加するステップと、を、有することを特徴とする。
【発明の効果】
【００１７】
本発明は、親機が、表示情報を子機から取得できない状態の時、親機の操作ボタンで、親機の表示情報の設定を、可能とするコードレス電話機を提供することができる。
【図面の簡単な説明】
【００１８】
【図１】本発明の実施形態に係るコードレス電話機の外観の一例を示す図である。
【図２】本発明の実施形態に係るコードレス電話機の親機の外観の一例を示す図である。
【図３】本発明の実施形態に係るコードレス電話機の子機の外観の一例を示す図である。
【図４】本発明の実施形態に係るコードレス電話機の構成の一例を示すブロック図である。
【図５】本発明の実施形態に係るコードレス電話機の動作の一例を示すフローチャートである。
【図６】本発明の実施形態に係るコードレス電話機の動作の一例を示すフローチャートである。
【図７】本発明の実施形態に係るコードレス電話機の動作の一例を示すフローチャートである。
【発明を実施するための形態】
【００１９】
以下、本発明の実施形態に係るコードレス電話機１について説明する。図１は、本発明のコードレス電話機１の外観を示す。外観は、上述の従来のコードレス電話機と、同様である。図２は、本発明のコードレス電話機１の、親機２の外観を示す。操作面は、留守番電話ボタン１０、着信履歴ボタン１２、及び親機表示部１１を有している。
【００２０】
最初に、親機２が、公衆回線に接続され、また、子機３と無線接続されている状態の、機能の一例を説明する。ユーザーが、留守番電話ボタン１０を押下すると、留守番電話ボタン１０のランプが点灯し、留守番電話機能がオンの状態になる。留守番電話機能に、相手のメッセージが録音されている状態のときは、留守番電話ボタン１０が点滅する。この状態で、ユーザーが、留守番電話ボタン１０を押下すると、録音されたメッセージが再生され、留守番電話機能はオフになる。
【００２１】
ユーザーが、着信履歴ボタン１２を押下すると、親機表示部１１に、着信履歴が表示される。着信履歴は、着信日時と、発信元の電話番号（ナンバーディスプレイ契約時）である。また、内線が着信したとき、発信元の端末名称（ユーザーによって、もしくは自動的に登録されている）が表示される。さらに、ユーザーは、着信履歴ボタン１１を、繰り返し押下することによって、過去の着信履歴にさかのぼって、表示させることが出来る。ユーザーは、着信履歴表示を終了させるときは、留守番電話ボタン１０を押下する。また、ユーザーは、着信履歴ボタン１２を、数秒間押下すると、記憶されている、全ての着信履歴を消去することが出来る。（以下、ボタンの短時間の押下を「押下」、ボタンの数秒間の押下を「長押し」と記す）
【００２２】
また、留守番電話ボタン１０は、子機３の増設にも用いられる。ユーザーは、留守番電話ボタン１０を、長押しすると、子機３を親機２に増設するモード、即ち、無線接続される状態にするモードに切り替わる。このモードに切り替わった後、所定の時間以内に、親機２に増設する子機３において、ユーザーが、後述する所定の操作を行うと、親機２と、子機３と、は、無線接続された状態となる。無線接続された状態では、親機２に、子機３のＩＤが記憶され、子機３に、親機２のＩＤが記憶されている。このＩＤは、予め各端末に定められている、１０桁程度の数字やアルファベット等による文字列である。増設操作では、親機２と、子機３と、が、無線通信によって、このＩＤをやり取りする。
【００２３】
このように、親機２は、２つの操作ボタンに、多くの操作機能を割り振っている。このため、親機２に、新たな操作機能を追加するには、操作ボタンの追加が必要となる。
【００２４】
図３は、本発明のコードレス電話機１の、子機３の外観を示す。子機３は、各種情報を表示する子機表示部２１を有する。子機表示部２１には、ダイヤルした番号、着信し通話の発信元の電話番号、内線が着信したとき、端末名称、が表示される。さらに、子機３は、受話口２０、送話口２５、ダイヤル等の各種操作を行うダイヤル操作ボタン２４、各種設定を行うときに用いる、上下左右ボタン２２、及び決定ボタン２３を有する。
【００２５】
ユーザーは、子機３を、親機２に増設するには、親機２を、子機３を増設するモードにした状態で、子機３の増設操作を行う。子機３の増設操作において、ユーザーは、例えば、上下左右ボタン２２を用いて、子機表示部２１に、増設モードの表示をさせ、決定ボタン２３を押下する。なお、図３に示すように、子機３には、他にもいろいろな操作ボタンが配置されているが、説明は省略する。
【００２６】
図４は、本発明のコードレス電話機１の、構成の一例を示すブロック図である。親機２は、主制御部３０（制御部）と、無線部３１と、ＲＡＭ(Random Access Memory)３２と、不揮発性メモリ３３と、公衆回線制御部３５と、送電部３６と、表示部３７と、操作部３８と、を、備える。
【００２７】
主制御部３０は、不揮発性メモリ３３に記憶されている制御プログラムに従って、親機２を構成する各部を制御する。不揮発性メモリ３３は、制御プログラム等を記憶している。ＲＡＭ３２は、主制御部３０の主メモリとして機能する。公衆回線制御部３５は、公衆回線３４と接続し、外部の電話機等と通信を行う。表示部３７は、親機表示部１１に相当し、液晶表示装置等からなる。操作部３８は、上述の留守番電話ボタン１０、及び着信履歴ボタン１２である。
【００２８】
送電部３６は、子機３の受電部／充電部４６に対し、電力を送電する。親機２は、電源に接続された電源部（図示せず）から供給された電力を、送電部３６を介して、子機３の受電部／充電部４６に送電する。送電は、親機２のクレイドル部と、子機３とに設けられた接点を介してもよく、また、電磁誘導等による非接触給電を用いてもよい。子機３の充電は、子機３が、親機２のクレイドルに載置された状態で行われる。子機３が親機２のクレイドルに載置されているか否かは、子機３の接点の検出、又は、子機３の非接触給電の受電コイルの検出によって行われる。送電部３６は、主制御部３０によって制御される。
【００２９】
コードレス電話機１の子機３は、主制御部４０と、無線部４１と、ＲＡＭ(Random Access Memory)４２と、不揮発性メモリ４３と、送話口２５を構成するマイク４４と、受話口２０を構成するスピーカー４５と、受電部／充電部４６と、子機表示部２１を構成する表示部４７と、操作部４８と、を、備える。
【００３０】
主制御部４０は、不揮発性メモリ４３に記憶されている制御プログラムに従って、子機３を構成する各部を制御する。不揮発性メモリ４３は、制御プログラム等を記憶している。ＲＡＭ４２は、主制御部４０の主メモリとして機能する。表示部４７は、液晶表示装置などからなる。操作部４８は、ダイヤル操作ボタン２４、上下左右ボタン２２、決定ボタン２３、などである。
【００３１】
受電部／充電部４６は、親機２の送電部３６から送電された電力を受電し、電池（図示せず）に充電する。この電池に充電された電力によって、子機３は動作する。受電、及び充電は、子機３が、親機２のクレイドルに載置されているときに行われる。
【００３２】
親機２と子機３との無線による接続は、無線部３１と、無線部４１と、を、介して行われる。無線通信はＤＥＣＴ（Digital Enhanced Cordless Telecommunications）規格に準拠して行われることが多いが、本発明はＤＥＣＴ規格以外の通信規格でも、実施可能である。なお、図４では、１台の親機２に対して、１台の子機３を無線接続しているが、同様の構成の子機３を、更に親機２に追加接続しても、同様のブロック図となる。
【００３３】
次に、親機２が、子機２と無線接続されず、また公衆回線とも接続されていない、単なる充電台とし使用される場合の、親機２の機能を説明する。親機２と、子機３と、は、お互いのＩＤを記憶していない状態なので、親機２のクレイドルに、子機３を載置しても、相互の無線通信は行われない。しかし、充電機能は、無線通信とは関係なく行うことが出来るので、子機３を、親機２のクレイドルに載置すれば、子機３の充電を行うことが出来る。また、親機２は、親機表示部１１に、内部に有している時計機能に基づく表示情報を、表示することもできる。
【００３４】
上述のように、ユーザーによって修正された、表示情報は、子機３から、無線通信によって、親機２に送信される。しかし、単なる充電台として親機２が使用される場合は、親機２は、子機３から、表示情報を取得することが出来ない。また、親機２は、コストやデザイン性の観点から、最小限の操作ボタンしか有していない。本発明のコードレス電話１は、親機２が単なる充電台として使用される場合、親機２の操作ボタンの機能を、表示情報の修正機能に変更する。
【００３５】
図５は、本発明のコードレス電話機１の、親機２の動作の一例を示すフローチャートである。親機２は、子機３が無線接続されているか否かを検出する（Ｓ１）。この検出は、不揮発メモリ３３に、子機３のＩＤが記憶されているか否かで判断される。子機３のＩＤが記憶されている場合は、親機２は、無線接続される子機が存在する（Ｓ１：Yes）と判断する。記憶されていない場合は（Ｓ１：No）、親機２は、自機（親機２）が公衆回線に接続されているか否かを判断する（Ｓ２）。公衆回線に接続されているか否かは、親機２から公衆回線３４にオフフック信号を送出し、オフフック信号を検出した交換機が送出するダイヤルトーンを検出することによって行う。ダイヤルトーンが検出された場合は、公衆回線３４が接続されていると判断される（Ｓ２：Yes）。
【００３６】
公衆回線に接続されていない場合は（Ｓ２：No）、親機２は、単なる充電台として使用されると判断する。そして、親機２は、自機の操作ボタンの機能を、単なる充電台として使用するモード（以下、充電台モードと記す）に切り替える（Ｓ３）。
【００３７】
充電台モードとなった親機２の操作ボタンの機能は、例えば、以下のように変更される。着信履歴ボタン１２は、長押しによって、表示情報を設定する機能に変更される。親機表示部１１に表示された、時刻情報と、カレンダー情報の、修正可能な部分（年、月、日、時、分）のうち、ひとつが点滅状態となる。ユーザーは、点滅状態となっている部分の修正を、留守番電話ボタン１０を、必要な回数、押下することによって行う。ユーザーは、正しい表示に修正したら、着信履歴ボタン１２を押下して決定する。ユーザーは、着信履歴ボタン１２を押下して、決定するごとに、点滅状態となっている部分は、年、月、日、時、分と、順次移って行く。ユーザーは、この作業を繰り返すことによって、表示情報を修正し、最後に着信履歴ボタン１２を長押し、確定する。
【００３８】
また、着信履歴ボタン１２は、押下されることによって、親機表示部１１の、液晶表示装置のバックライトの、制御を行う機能に変更される。着信履歴ボタン１２は、押下される毎に、バックライトは、消灯、常時点灯、使用時のみ点灯、と、状態を切り替える。留守番電話ボタン１０は、長押しされることによって、子機３を、親機２に増設するモードに変更する機能も持つ。
【００３９】
図５で、親機２に子機３が無線接続されている場合（Ｓ１：Yes）、または親機２が公衆回線３４に接続されている場合（Ｓ２：Yes）場合は、親機２は、単なる充電台としてではなく、子機３と無線接続されている親機２として用いられると判断できるので、親機２は、自機（親機２）の操作ボタンを、本来の親機２として用いるモード（以下、親機モードと記す）に、変更する。すでに親機モードである場合（Ｓ４：No）は、そのままでよいが、充電台モードとして使用されていた場合は（Ｓ４：Yes）、親機２は、操作ボタンを親機モードに切り替える（Ｓ５）。
【００４０】
このフローによって、ユーザーは、操作ボタンの数が少ない親機２を、単なる充電台として使用する場合も、親機表示部１１の、表示情報を、親機２の操作部によって修正することが可能となる。なお、図５のＳ１のステップと、Ｓ２ステップの順番は、逆でもよい。また、図５のフローは、随時繰り返して行われる。さらに、親機２の、操作ボタンの種類、数、動作は、上述の例に限らない。
【００４１】
（変形例１）
図６のフローチャートは、図５のフローチャートから、Ｓ２のステップ（公衆回線接続の検出）を削除したものである。子機３が親機２に無線接続されていなければ（Ｓ１：No）、親機２が単なる充電台として使用されると判断し、充電台モードに変更される（Ｓ３）。他のフローは、同様である。この変形例では、公衆回線の接続検出ステップを省略できる。
【００４２】
ただし、子機３が親機２に無線接続されていなければ、親機２は、充電台モードになるが、公衆回線が接続されていれば、親機２は着信が可能である。親機２において、留守番電話機能がオンの場合、相手のメッセージを録音してしまう。録音されたメッセージは、子機３が無線接続されていないので、聞くことはできないが、親機２に、予めリモコン操作の暗証番号を登録しておけば、別の電話機から、録音されたメッセージを聞くことは可能である。
【００４３】
しかし、親機２が、単なる充電台として使用される場合、公衆回線に接続されて使用されることは、通常ありえないので、このような問題は生じにくい。なお、このような状態を回避するには、Ｓ３ステップで、充電台モードへの切り替えと同時に、公衆回線制御部３５を停止するようにすればよい。
【００４４】
（変形例２）
図７のフローチャートは、無線接続されている子機３の検出を行わず、公衆回線接続の検出によって、親機２が、単なる充電台として使用されるか否かを、判断するものである。親機２が公衆回線に接続されていない場合は（Ｓ２：No）、親機２は、回線自動設定がオンか否かを判断する（Ｓ６）。回線自動設定とは、コードレス電話機１に接続された公衆回線が、ダイヤル回線か、プッシュ回線か、を、自動的に判定し、コードレス電話機１を、判定された回線の種類に合わせた設定とするものである。自動回線設定では、公衆回線に、プッシュ回線の０（ゼロ）の信号を送出し、ダイヤルトーンが停止すれば、プッシュ回線が接続されていると判断し、コードレス電話機１を、プッシュ回線の設定にする。また、プッシュ回線の信号送出に対して、ダイヤルトーンが停止しなければ、ダイヤル回線の０（ゼロ）の信号を送出し、ダイヤルトーンが停止すれば、ダイヤル回線が接続されていると判断し、コードレス電話機１をダイヤル回線の設定とする。
【００４５】
親機２が公衆回線に接続されず（Ｓ２：No）、かつ、回線自動設定がオンの場合（Ｓ６：Yes）、コードレス電話機１は、店頭デモンストレーションモード（以下店頭デモモードと記す）として動作する（Ｓ７）。店頭デモモードとは、店頭で、来客に対し、コードレス電話機１の各種機能を紹介する店頭デモンストレーションを行う機能である。店頭デモンストレーションでは、例えば、子機３を親機２からオフフックすると、子機表示部２１に各種表示が行われ、受話口２０からデモンストレーション音声が再生される。公衆回線が接続されていない状態で、コードレス電話機１を、電源に接続し、かつ、回線自動設定がオンの場合は、店頭デモモード動作が行われるように、設定されている。
【００４６】
ユーザーは、親機２を、単なる充電台として使用するため、公衆回線に接続せずに電源を接続しても、回線自動設定がオンの場合（Ｓ６：Yes）、店頭デモモードになる（Ｓ７）。この場合、ユーザーは、回線自動設定をオフにする操作を行う。回線自動設定をオフにする操作は、子機３の上下左右キー２２で、回線設定のメニューを子機表示部２１に表示させ、たとえば、プッシュ回線を選択し、決定ボタン２３を押下する操作を行えば良い。これによって、回線はプッシュ回線に設定され、自動回線設定はオフになる。回線自動設定オフの操作（Ｓ８：Yes）が行われると、店頭デモモードが解除され、親機２の操作ボタンは、充電台モードに切り替わる（Ｓ３）。
【００４７】
回線自動設定がオフの情報は、コードレス電話機１を、電源から切り離しても記憶されているので、再度、電源接続した場合、回線自動設定がオンか否かの判定ステップ（Ｓ６）では、回線自動設定がオフ（Ｓ６：No）と判断され、親機２は、充電台モードとなる（Ｓ３）。
【００４８】
Ｓ２に戻り、公衆回線が接続されていると判断された場合は（Ｓ２：Yes）、単なる充電台として使用されないと判断できるので、親機２は、自機（親機２）を、親機モード（Ｓ５）とする。なお、この変形例２では、店頭デモモードか否かの判断に、回線自動設定のオン／オフ情報を用いているが、これに限るものではない。
【００４９】
以上説明したように、本実施形態は、親機と、１または複数の子機と、が、無線接続可能なコードレス電話機であって、前記親機は、制御部と、表示部と、操作部と、を、有し、前記制御部は、前記親機に無線接続されている前記子機を検出しない場合、前記操作部に、前記表示部に表示する表示情報の設定機能を付加する制御を行うことを特徴とする。これによって、親機を、子機を載置する専用台として使用する場合、親機によって、親機の表示部の設定が可能となる。
【００５０】
また、本実施形態は、前記制御部は、前記親機の電話回線接続を検出しない場合、かつ前記親機に無線接続されている前記子機を検出しない場合、前記操作部に、前記表示部に表示する表示情報の設定機能を付加する制御を行うことを特徴とする。これによって、親機を、子機を載置する専用台として使用する場合、親機に対する着信を、防止することが出来る。
【００５１】
また、本実施形態は、前記親機は、前記子機の充電機能を有することを特徴とする。これによって、子機を載置する専用台として使用する親機を、充電台として用いることが出来る。
【００５２】
また、本実施形態は、前記表示情報は、時刻情報、または／及びカレンダー情報であることを特徴とする。時刻情報、または／及びカレンダー情報は、ずれが生じた場合、修正が必要な情報である。本実施形態によって、親機を専用台として使用した場合でも、親機によって修正が可能となる。
【００５３】
また、本実施形態は、前記制御部は、前記親機に無線接続されている前記子機を検出した場合、前記操作部に付加した前記表示部の表示情報の設定機能を取り除く制御を行うことを特徴とする。これによって、親機を、子機を載置する専用台として使用した後に、親機に、子機を無線接続すると、親機を専用台ではなく、コードレス電話機の親機として使用することが出来る。
【００５４】
また、本実施形態は、親機と、１または複数の子機と、が、無線接続可能なコードレス電話機であって、前記親機は、制御部と、表示部と、操作部と、を、有し、前記制御部は、前記親機の前記電話回線接続を検出しない場合、前記操作部に、前記表示部に表示する表示情報の設定機能を付加する制御を行うことを特徴とする。これによって、親機を、子機を載置する専用台として使用する場合、親機によって、親機の表示部の設定が可能となる。
【００５５】
また、本実施形態は、親機と、１または複数の子機と、が、無線接続可能なコードレス電話機の制御方法であって、前記親機は、制御部と、表示部と、操作部と、を、有し、前記制御部は、前記親機に無線接続されている前記子機を検出するステップと、前記親機に無線接続されている前記子機を検出しない場合、前記操作部に、前記表示部に表示する表示情報の設定機能を付加するステップと、を、有することを特徴とする。これによって、親機を、子機を載置する専用台として使用する場合、親機によって、親機の表示部の設定が可能となる。
【００５６】
また、本実施形態は、親機と、１または複数の子機と、が、無線接続可能なコードレス電話機の制御方法であって、前記親機は、制御部と、表示部と、操作部と、を、有し、前記制御部は、前記親機の前記電話回線接続を検出するステップと、前記親機の前記電話回線接続を検出しない場合、前記操作部に、前記表示部に表示する表示情報の設定機能を付加するステップと、を、有することを特徴とする。これによって、親機を、子機を載置する専用台として使用する場合、親機によって、親機の表示部の設定が可能となる。
【００５７】
本発明は、上述した実施形態に限られるものではなく、特許請求の範囲及び明細書全体から読み取れる発明の要旨或いは思想に反しない範囲で適宜変更可能であり、そのような変更を伴うコードレス電話機もまた本発明の技術的範囲に含まれる。
【産業上の利用可能性】
【００５８】
本発明は、コードレス電話機に好適に採用され得る。
【符号の説明】
【００５９】
１…コードレス電話機、２…親機、３…子機、４…専用充電台、１０…留守番電話ボタン、１１…親機表示部、１２…着信履歴ボタン、２０…受話口、２１…子機表示部、２２…上下左右ボタン、２３…決定ボタン、２４…ダイヤル操作ボタン、２５…送話口、３０…主制御部、３１…無線部、３２…ＲＡＭ、３３…不揮発性メモリ、３４…公衆回線、３５…公衆回線制御部、３６…送電部、３７…表示部、３８…操作部、４０…主制御部、４１…無線部、４２…ＲＡＭ、４３…不揮発性メモリ、４４…マイク、４５…スピーカー、４６…受電部／充電部、４７…表示部、４８…操作部
【図１】
2020162068.tif 000003
【図２】
2020162068.tif 000004
【図３】
2020162068.tif 000005
【図４】
2020162068.tif 000006
【図５】
2020162068.tif 000007
【図６】
2020162068.tif 000008
【図７】
2020162068.tif 000009